(57)【特許請求の範囲】
【請求項１】
建物開口部に固定される窓枠と、この窓枠における室外寄りに支持される室外面材と、この室外面材の室内側に沿って上下スライド自在に前記窓枠に支持される可動障子とを備えた建具であって、
前記可動障子は、上框、下框および左右の縦框を四周框組みした内部に面材を取り付けて形成されるとともに、前記下框が前記室外面材上部の外召合せ框の室内側に重なる閉鎖位置と、この閉鎖位置から下方にスライドされて前記室外面材の室内側に重なる開放位置との間を開閉移動自在に設けられ、
前記室外面材の外召合せ框には、前記閉鎖位置にある可動障子の下框と係合する係合片と、この係合片よりも室外側にて上方に立ち上がる立上り片とが形成されるとともに、前記可動障子の下框の室外面に当接可能な気密材が前記係合片よりも上方かつ前記立上り片よりも室内側に設けられ、
前記室外面材は、前記窓枠に移動不能に支持された固定面材であり、この固定面材の上側には、前記閉鎖位置にある可動障子の室外側を覆う通気面材が設けられており、
前記通気面材は、左右に延びる複数の通気部材と、これらの通気部材間に形成されて下方に向いた室外側開口を有しかつ室内外に渡る通気経路とを有して構成され、
前記固定面材の外召合せ框には、前記立上り片よりも室外側にて上方に立ち上がるとともに、前記通気面材における最下段の通気部材の室内側に所定の隙間を介して対向する通気突片が形成され、この通気突片と前記最下段の通気部材との間には、下方に向いた室外側開口を有しかつ室内外に渡る通気経路が形成されている建具。
【請求項２】
前記通気突片は、前記立上り片の上端縁よりも上方、かつ前記可動障子の下框の上端縁よりも上方まで延びて形成されている請求項１に記載の建具。
【請求項３】
前記通気突片と前記立上り片との間には、上方に開口するとともに前記外召合せ框の長手方向に延びた溝部が形成されている請求項１または請求項２に記載の建具。
【請求項４】
前記通気突片の上端部には、室外側に折れ曲がった水返し片部が形成されている請求項１から請求項３のいずれかに記載の建具。
【請求項５】
前記室外面材の外召合せ框には、前記気密材よりも上方にて前記可動障子の面材の室外面に摺接可能な第２気密材が設けられている請求項１から請求項４のいずれかに記載の建具。
【発明の詳細な説明】
【技術分野】
【０００１】
本発明は、建具に関し、詳しくは、窓枠と、この窓枠内に支持された可動障子とを備えた上げ下げ窓等の建具に関する。
【背景技術】
【０００２】
住宅等の外壁開口部に設けられる建具として、上下一対の障子を備えた上げ下げ窓が知られている（例えば、特許文献１〜３参照）。
特許文献１、２には、窓枠と、この窓枠の上半分に固定された固定障子（外障子）やガラスパネルと、この固定障子の室内側に沿って上下にスライド開閉自在に設けられた可動障子（内障子、下部障子）とを備えたシングルハングの上げ下げ窓が開示されている。一方、特許文献３には、内障子のみならず外障子も上下にスライド開閉自在に設けられたダブルハングの上げ下げ窓が開示されている。
以上のような特許文献１〜３に記載された上げ下げ窓では、いずれも閉鎖状態において外障子が内障子よりも上側に位置し、外障子の下框（外召合せ框）の室内側に内障子の上框（内召合せ框）が重なるようになっている。従って、上げ下げ窓の室外側から雨などが降りかかった場合でも、内外の召合せ框の間を通って室内側に雨が入り込みにくい構造となっている。
【０００３】
【特許文献１】特開２００３−１７６６６７号公報
【特許文献２】特開平６−３１３３８４号公報
【特許文献３】特開２００３−６４９６６号公報
【発明の開示】
【発明が解決しようとする課題】
【０００４】
ところで、従来の上げ下げ窓において、外障子と内障子とを入れ替えた場合、つまり外障子の上框を外召合せ框とするとともに内障子の下框を内召合せ框とし、これらが見込み方向に重なって内外の障子が閉じるように構成した場合には、外召合せ框の上側を超えた雨などが内召合せ框との間に入り込みやすくなって、止水性を確保することが難しくなってしまう。このため、従来の上げ下げ窓では、内外の障子の上下関係を変更することが困難となり、窓を設計する上での制約を受けることから、設計自由度が低下してしまうという問題があった。
【０００５】
本発明の目的は、止水性能を確保しつつ設計自由度を高めることができる建具を提供することにある。
【課題を解決するための手段】
【０００６】
本発明の建具は、建物開口部に固定される窓枠と、この窓枠における室外寄りに支持される室外面材と、この室外面材の室内側に沿って上下スライド自在に前記窓枠に支持される可動障子とを備えた建具であって、前記可動障子は、上框、下框および左右の縦框を四周框組みした内部に面材を取り付けて形成されるとともに、前記下框が前記室外面材上部の外召合せ框の室内側に重なる閉鎖位置と、この閉鎖位置から下方にスライドされて前記室外面材の室内側に重なる開放位置との間を開閉移動自在に設けられ、前記室外面材の外召合せ框には、前記閉鎖位置にある可動障子の下框と係合する係合片と、この係合片よりも室外側にて上方に立ち上がる立上り片とが形成されるとともに、前記可動障子の下框の室外面に当接可能な気密材が前記係合片よりも上方かつ前記立上り片よりも室内側に設けられ、前記室外面材は、前記窓枠に移動不能に支持された固定面材であり、この固定面材の上側には、前記閉鎖位置にある可動障子の室外側を覆う通気面材が設けられており、前記通気面材は、左右に延びる複数の通気部材と、これらの通気部材間に形成されて下方に向いた室外側開口を有しかつ室内外に渡る通気経路とを有して構成され、前記固定面材の外召合せ框には、前記立上り片よりも室外側にて上方に立ち上がるとともに、前記通気面材における最下段の通気部材の室内側に所定の隙間を介して対向する通気突片が形成され、この通気突片と前記最下段の通気部材との間には、下方に向いた室外側開口を有しかつ室内外に渡る通気経路が形成されていることを特徴とする。
【０００７】
ここで、室外面材および可動障子としては、それぞれ１枚ずつで構成されてもよく、室外面材が１枚の面材から構成され可動障子が上下一対の２枚の障子（上部障子および下部障子）から構成されていてもよく、これとは逆に、室外面材が上下一対の２枚の面材から構成され可動障子が１枚で構成されていてもよい。さらには、室外面材や可動障子が３枚以上の面材（障子）から構成されていてもよい。
また、室外面材は、窓枠に対して移動不能に固定されていてもよく、また可動障子と同様に上下スライド自在に支持されていてもよい。さらには、室外面材が窓枠に対して外開き形式や突き出し形式、あるいは縦辷出し（または横辷出し）形式などの各種形式で開閉可能に支持されていてもよい。
【０００８】
以上の本発明によれば、室外面材の外召合せ框において、可動障子の下框と係合する係合片よりも室外側に立上り片を形成するとともに、この立上り片よりも室内側かつ係合片よりも上方に気密材を設けたことで、建具の室外側から降りかかる雨などを立上り片で阻止することができるとともに、この立上り片を超えた雨を気密材で阻止することができ、外召合せ框と可動障子の下框との間から室内側への雨水の浸入を防止することができる。従って、室外面材の上框である外召合せ框の室内側に可動障子の下框が重なって閉じる開閉形式の建具において、止水性能を確保することができ、従来の上げ下げ窓のような内外障子の召合せ構造の制約を受けることがなくなるため、室外面材や可動障子の配置に関する設計の自由度を高めることができる。
また、固定面材の上側に通気面材を設けるとともに、その最下段の通気部材の室内側に隙間を介して対向する通気突片を固定面材の外召合せ框に形成したことで、通気部材によって雨が阻止されるとともに、通気部材よりも室内側に浸入した雨が通気突片によって阻止される。従って、前述した立上り片および気密材による止水に加え、この立上り片の位置まで雨が入り込むことが通気突片および通気部材で防止できるので、止水性能を向上させることができる。また、通気面材が複数の通気部材と通気経路とを有して構成されているので、可動障子を開放すれば通気経路を介して外気を取り込んだり内気を排出したりできるとともに、通気経路の室外側開口が室内側開口よりも下方に位置することで、通気経路を介して室内側への雨などの浸入が防止でき、雨天であっても可動障子を開放して換気を行うことができる。
【００１１】
さらに、本発明の建具では、前記通気突片は、前記立上り片の上端縁よりも上方、かつ前記可動障子の下框の上端縁よりも上方まで延びて形成されていることが好ましい。
このような構成によれば、通気突片によって確実に雨などの浸入が防止でき、止水性能のさらなる向上が実現できる。
【００１２】
また、本発明の建具では、前記通気突片と前記立上り片との間には、上方に開口するとともに前記外召合せ框の長手方向に延びた溝部が形成されていることが好ましい。
このような構成によれば、通気突片と立上り片との間に溝部を形成することで、通気突片を超えて雨などが浸入したとしても、この水を溝部に溜めることができ、立上り片を超えて室内側へ浸入することが防止できる。
【００１３】
さらに、本発明の建具では、前記通気突片の上端部には、室外側に折れ曲がった水返し片部が形成されていることが好ましい。
このような構成によれば、通気突片の上端部に水返し片部を形成したことで、この通気突片まで到達した雨などを室外側に戻して落下させることができ、通気突片よりも室内側への浸入がより確実に防止できる。
【００１４】
また、本発明の建具では、前記室外面材の外召合せ框には、前記気密材よりも上方にて前記可動障子の面材の室外面に摺接可能な第２気密材が設けられていることが好ましい。
このような構成によれば、前述の気密材に加えて面材に摺接する第２気密材を設けたことで、立上り片を超えた雨などの浸入を第２気密材で阻止することができ、止水性能をさらに一層向上させることができる。
【発明を実施するための最良の形態】
【００１５】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３および図４は、それぞれ上げ下げ窓１を示す横断面図であって、図３は、図１に矢視III−III線で示す断面図であり、図４は、図１に矢視IV−IV線で示す断面図である。図５は、上げ下げ窓１を室外側から見た分解斜視図である。
図１〜図５において、上げ下げ窓１は、戸建て住宅等の建物の外壁２における開口部に設けられて建物の室内空間と室外空間とを仕切るもので、下端位置が床面３と略同一高さ位置に設けられ、上端位置が天井面４と略同一高さ位置に設けられた窓である。
【００１６】
上げ下げ窓１は、上枠１１、下枠１２、および左右の縦枠１３を四周枠組みした窓枠１０と、この窓枠１０の内側に上下スライド開閉自在に支持された上部可動障子２０および下部可動障子３０とを備えて構成されている。窓枠１０は、外壁２開口部周辺の壁パネル等の建物躯体５に固定されている。上部可動障子２０および下部可動障子３０は、それぞれ上框２１，３１、下框２２，３２、および左右の縦框２３，３３を四周框組みした内部に、ガラスパネル（複層ガラス）２４，３４を嵌め込んで構成されている。
【００１７】
また、上部可動障子２０および下部可動障子３０の室外側における窓枠１０内部には、室外側面状体としての固定面材ユニット４０が取り付けられており、この固定面材ユニット４０は、上下左右の框材としての上框４１、下框４２、および左右の縦框４３を四周框組みした面状体枠としてのユニット枠４０Ａと、ユニット枠４０Ａの内部を上下に仕切る２本の中間框材としての上部中間框４４および下部中間框４５と、上下一対の通気面材としての上部通気面材４６および下部通気面材４７と、上部中間框４４および下部中間框４５の間に保持される室外面材（固定面材）としての固定ガラスパネル（複層ガラス）４８とを有して構成されている。また、固定面材ユニット４０における上部通気面材４６および下部通気面材４７の室内側には、それぞれ網戸４９が取り付けられている。
【００１８】
窓枠１０の縦枠１３は、図３および図４に示すように、アルミ形材製の縦枠本体１３１と、この縦枠本体１３１の室内寄りに固定される樹脂製の縦枠レール部材１３２とを有して構成されている。縦枠本体１３１は、見込み方向に延びる見込み面部１３３と、この見込み面部１３３の見込み方向略中央から見付け方向内側に突出する突出片部１３４と、この突出片部１３４の室外側と見込み面部１３３とに渡る縦枠中空部１３５とを有して形成されている。縦枠レール部材１３２は、見付け方向内側に向かって開口した断面略Ｃ字形に形成され、見込み面部１３３室内側端部および突出片部１３４先端部に係合されて縦枠本体１３１に取り付けられており、上部可動障子２０および下部可動障子３０を上下に案内可能に構成されている。
【００１９】
また、図３に示すように、上部可動障子２０および下部可動障子３０の開閉移動範囲を外れた高さ位置における縦枠レール部材１３２には、その開口部を覆う縦枠カバー部材１３６が取り付けられている。さらに、縦枠レール部材１３２には、図２および図５に示すように、開放した上部可動障子２０および下部可動障子３０の各々に当接し、当該障子を開放位置に停止させる障子ストッパー１３７が固定されている。これらの障子ストッパー１３７は、図３に示すストッパー固定金物１３７Ａを介して縦枠レール部材１３２に固定されており、これら上下の障子ストッパー１３７間に渡って縦枠カバー部材１３６が取り付けられている。
【００２０】
上部可動障子２０および下部可動障子３０は、それぞれ縦枠レール部材１３２に案内されて上下にスライド可能に支持されるとともに、上部可動障子２０および下部可動障子３０が同一面内で連動して開閉可能に設けられている。すなわち、上部可動障子２０および下部可動障子３０は、図４に示すように、それぞれの縦框２３，３３下端部位置にスライドシュー（スライド部材）２５，３５が連結されるとともに、図３に示すように、縦框２３，３３上端部位置にラッチ装置２６，３６が取り付けられている。そして、スライドシュー２５，３５が縦枠レール部材１３２の開口内部に支持されるとともに、ラッチ装置２６，３６の係止部（不図示）が縦枠レール部材１３２に係止されることで、上部可動障子２０および下部可動障子３０が上下スライド開閉可能になっている。そして、上部可動障子２０および下部可動障子３０は、図示しない滑車とワイヤを介して互いに連結されるとともに吊り下げ支持されており、例えば下部可動障子３０を開放操作することで上部可動障子２０も開放され、下部可動障子３０を閉鎖操作することで上部可動障子２０も閉鎖されるように構成されている。
【００２１】
以上の上部可動障子２０は、図２に示すように、その上框２１が上枠１１に当接するとともに、下框２２と固定面材ユニット４０の上部中間框４４とが見込み方向に重なって閉じられる（閉鎖位置）。また、上部可動障子２０は、下方にスライドされて上框２１が上部中間框４４の室内側に略重なるとともに、縦框２３の下端部（スライドシュー２５）が障子ストッパー１３７に当接する開放位置まで開放されるように構成されている。一方、下部可動障子３０は、その下框３２が下枠１２に当接するとともに、上框３１と固定面材ユニット４０の下部中間框４５とが見込み方向に重なって閉じられる（閉鎖位置）。この閉鎖位置において、下部可動障子３０の上框３１に設けたクレセント錠３７を操作して下部中間框４５の錠受けに３７Ａに係合させることで、下部可動障子３０と、これに連動する上部可動障子２０とが施錠できるようになっている。また、下部可動障子３０は、上方にスライドされて下框３２が下部中間框４５の室内側に略重なるとともに、縦框３３の上端部（ラッチ装置３６）が障子ストッパー１３７に当接する開放位置まで開放されるように構成されている。
【００２２】
次に、図６〜図９も参照して上げ下げ窓１の各部の詳細について説明する。
図６は、上げ下げ窓１の上部を拡大して示す縦断面図である。図７および図８は、それぞれ上げ下げ窓１における上部可動障子２０の召合せ部分および下部可動障子３０の召合せ部分を拡大して示す縦断面図である。図９は、上げ下げ窓１の下部を拡大して示す縦断面図である。図１０は、上部可動障子２０の召合せ部分をさらに拡大して示す縦断面図である。
【００２３】
上枠１１は、図６に示すように、アルミ形材製の上枠本体１１１と、この上枠本体１１１の室内寄りに固定される樹脂製の上枠カバー部材１１２とを有して構成されている。上枠本体１１１は、見込み方向に延びる上枠上面部１１３と、この上枠上面部１１３の室外側端部から下方に延びる先端見付け面部１１４と、この先端見付け面部１１４と対向して上枠上面部１１３から下方に突出する第１突出片部１１５と、上枠上面部１１３の見込み方向略中央から下方に突出する第２突出片部１１６とを有して形成されている。そして、第２突出片部１１６の先端部には、室内側に向かって延びるモヘヤが取り付けられており、このモヘヤが閉鎖位置にある上部可動障子２０の上框２１に当接するようになっている。また、第１突出片部１１５の先端部には、室外側に向かって延びるモヘヤが取り付けられており、このモヘヤが固定面材ユニット４０の上框４１に当接するとともに、第１突出片部１１５によって上框４１が係止されて室外側への移動が規制されるようになっている。
【００２４】
一方、固定面材ユニット４０の上框４１は、アルミ形材製の一体成形部材であって、上方に開口した断面コ字形の被係止部４１１と、この被係止部４１１の室外側端部から下方に延びる上框前面部４１２と、被係止部４１１の室内側端部から下方に延びる上框背面部４１３とを有している。さらに、上框４１は、上框前面部４１２と上框背面部４１３とを結んで室内側に下がり勾配を有した上框底面部４１４と、この上框底面部４１４と上框背面部４１３との交差位置から室外側に下がり勾配を有して傾斜した上框傾斜面部４１５と、この上框傾斜面部４１５の室外側端部から下方に延びる突片部としての上框垂下面部４１６と、この上框垂下面部４１６の下端部から室内側に突出した上框突出片部４１７とを有して形成されている。そして、上框垂下面部４１６は、後述する通気部材４６２の通気前面部４６３と略同様の断面形態を有して形成されるとともに、通気部材４６２の通気背面部４６４の室外側に対向して位置するようになっており、上框４１と通気部材４６２との間に端部通気経路である上端部通気経路４１８が形成されている。さらに、上框前面部４１２および上框垂下面部４１６には、通気前面部４６３と同様の凹凸形状が形成されている。
【００２５】
次に、図７および図１０に示すように、上部可動障子２０の下框２２と固定面材ユニット４０の上部中間框４４とは、見込み方向に重なって上部可動障子２０が閉じるようになっている。すなわち、上部可動障子２０の下框２２によって内召合せ框が構成され、固定面材ユニット４０の上部中間框４４によって外召合せ框が構成され、これら内外の召合せ框によって召合せ部が構成されている。
上部可動障子２０の下框２２は、アルミ形材製の一体成形部材であって、略矩形中空状の中空部２２１と、この中空部２２１の室内側から上方に延びる室内見付け面部２２２と、中空部２２１の室外側から上方に延びる室外見付け面部２２３と、中空部２２１の室外側から室外側に延びて上方に折れ曲がった係合片としての煙返し２２４とを有して形成されている。この下框２２において、室内見付け面部２２２と室外見付け面部２２３とは、互いに見込み方向に対向して配置されており、これらの間に上方に開口した面材保持部２２Ａが形成されている。この面材保持部２２Ａには、ガスケット２４１を介してガラスパネル２４の下端縁が保持されるようになっている。
【００２６】
一方、固定面材ユニット４０の上部中間框４４は、アルミ形材製の上部中間框室外部材４４１および上部中間框室内部材４４２と、これらを連結する樹脂製の断熱部材４４３とを有して構成されている。上部中間框室外部材４４１は、室外側にて上下に延びる上部中間框前面部４４４と、上部中間框前面部４４４の上端部から室内側に延び室外側に下がり勾配を有した上部中間框傾斜面部４４５と、この上部中間框傾斜面部４４５の室内側端部から上方に延びる通気突片部としての上部中間框背面部４４６と、上部中間框背面部４４６の上端部から室外側に突出した水返し片部としての上部突出片部４４７とを有して形成されている。この上部中間框４４において、上部中間框前面部４４４と上部中間框室内部材４４２とは、互いに見込み方向に対向して配置されており、これらの間に下方に開口した面材保持部４４Ａが形成されている。この面材保持部４４Ａには、ガスケット４８１を介して固定ガラスパネル４８の上端縁が保持されるようになっている。
【００２７】
以上のような上部中間框４４における上部中間框背面部４４６および上部突出片部４４７は、通気部材４６２の通気背面部４６４および上部突出片部４６７と略同様の断面形態を有して形成されるとともに、通気部材４６２の通気前面部４６３の室内側に対向して位置するようになっており、上部中間框４４と通気部材４６２との間に中間部通気経路４４８が形成されている。そして、上部突出片部４４７は、中間部通気経路４４８に入った雨水等を阻止する水返し片として機能するように構成されている。さらに、上部中間框前面部４４４には、通気前面部４６３と同様の凹凸形状が形成されている。また、上部中間框４４の上部中間框室外部材４４１室内側端部には、上部可動障子２０の下框２２の煙返し２２４と係合可能な係合片としての煙返し４４９が形成されており、閉鎖位置にある上部可動障子２０の煙返し２２４が上部中間框４４の煙返し４４９に係合することで、上部可動障子２０が固定面材ユニット４０側（室外側）に引き寄せられるようになっている。
【００２８】
さらに、上部中間框４４における上部中間框室外部材４４１には、図１０に示すように、煙返し４４９よりも室外側でかつ上部中間框背面部４４６よりも室内側にて上方に立ち上がる立上り片４４Ｂが形成されている。また、立上り片４４Ｂの室内側に対向して煙返し４４９の上側には、室内側に開口した気密材保持部４４Ｃが形成され、この気密材保持部４４Ｃには、上部可動障子２０の下框２２の室外見付け面部２２３に当接可能な気密材４４Ｄが取り付けられている。そして、上部中間框背面部４４６と立上り片４４Ｂとの間には、上方に開口するとともに当該上部中間框４４の長手方向に延びた溝部４４Ｅが形成されている。ここで、上部中間框背面部４４６は、立上り片４４Ｂの上端縁よりも上方まで延びるとともに、上部可動障子２０の下框２２の室外見付け面部２２３よりも上方まで延びて形成されている。また、立上り片４４Ｂの上端縁は、下框２２の室外見付け面部２２３上端よりも低い位置に設けられている。
【００２９】
次に、図８に示すように、下部可動障子３０の上框３１と固定面材ユニット４０の下部中間框４５とは、見込み方向に重なって下部可動障子３０が閉じるようになっている。すなわち、下部可動障子３０の上框３１によって内召合せ框が構成され、固定面材ユニット４０の下部中間框４５によって外召合せ框が構成され、これら内外の召合せ框によって召合せ部が構成されている。
下部可動障子３０の上框３１は、アルミ形材製の一体成形部材であって、略矩形中空状の中空部３１１と、この中空部３１１の室内側から下方に延びる室内見付け面部３１２と、中空部３１１の室外側から下方に延びる室外見付け面部３１３と、中空部３１１の室外側から室外側にに延びて下方に折れ曲がった係合片としての煙返し３１４とを有して形成されている。さらに、上框３１には、中空部３１１の室内側上端から室内側に延びた操作把手３１５が形成されている。この上框３１において、室内見付け面部３１２と室外見付け面部３１３とは、互いに見込み方向に対向して配置されており、これらの間に下方に開口した面材保持部３１Ａが形成されている。この面材保持部３１Ａには、ガスケット３４１を介してガラスパネル３４の上端縁が保持されるようになっている。
【００３０】
一方、固定面材ユニット４０の下部中間框４５は、アルミ形材製の一体成形部材であって、室外側上端部にて上下に延びる下部中間框前面部４５１と、この下部中間框前面部４５１の室内側に対向する下部中間框背面部４５２とを有して形成されている。そして、下部中間框前面部４５１と下部中間框背面部４５２との間には、上方に開口した面材保持部４５Ａが形成されており、この面材保持部４５Ａには、ガスケット４８１を介して固定ガラスパネル４８の下端縁が保持されるようになっている。さらに、下部中間框４５は、下部中間框前面部４５１よりも下方に位置する第２前面部４５３および第３前面部（中間突片部）４５４と、これらを結んで室内側に凹んだ凹面部４５５と、下部中間框背面部４５２に連続して下方に延び第２前面部４５３の室内側に対向する第２背面部４５６と、第３前面部４５４の下端部から室内側に突出した下部突出片部４５７とを有して形成されている。
【００３１】
以上のような下部中間框４５における第３前面部４５４および下部突出片部４５７は、通気部材４７２の通気前面部４７３および下部突出片部４７６と略同様の断面形態を有して形成されるとともに、通気部材４７２の通気背面部４７４の室外側に対向して位置するようになっており、下部中間框４５と通気部材４７２との間に中間部通気経路４５８が形成されている。そして、下部中間框４５の下部中間框前面部４５１、第２前面部４５３および第３前面部４５４には、通気前面部４７３と同様の凹凸形状が形成されている。また、下部中間框４５の下部中間框背面部４５２には、下部可動障子３０の上框３１と係合可能な煙返し４５９が形成されており、閉鎖位置にある下部可動障子３０の上框３１が煙返し４５９に係合することで、下部可動障子３０が固定面材ユニット４０側（室外側）に引き寄せられるようになっている。
【００３２】
次に、図９に示すように、下枠１２は、アルミ形材製の下枠室外部材１２１および下枠室内部材１２２と、これらを連結する樹脂製の断熱部材１２３と、下枠室内部材１２２の室内側端部に固定される樹脂製の下枠カバー部材１２４とを有して構成されている。下枠室外部材１２１は、それぞれ見込み方向に延びる下枠上面部１２５および下枠底面部１２６と、下枠上面部１２５から上方に延びる立上り片部１２７と、この立上り片部１２７よりも室外側の下枠上面部１２５から上方に突出する突起部１２８とを有して形成されている。そして、立上り片部１２７の上端部および下枠カバー部材１２４には、それぞれ気密部材が取り付けられており、これらの気密部材と閉鎖位置にある下部可動障子３０の下框３２とが当接するようになっている。また、固定面材ユニット４０は、下枠上面部１２５に載置されるとともに、下框４２が突起部１２８に係止されて室外側への移動が規制されるようになっている。
【００３３】
一方、固定面材ユニット４０の下框４２は、アルミ形材製の一体成形部材であって、下枠１２の下枠上面部１２５に載置される室外側載置片部４２１および室内側載置片部４２２と、これらを結んで室外側に下がり勾配を有した下框上面部４２３と、この下框上面部４２３から上方に立ち上がる突片部としての下框背面部４２４と、この下框背面部４２４の上端部から室外側に突出した下框突出片部４２５とを有して形成されている。そして、下框背面部４２４および下框突出片部４２５は、後述する通気部材４７２の通気背面部４７４および上部突出片部４７７と略同様の断面形態を有して形成されるとともに、通気部材４７２の通気前面部４７３の室内側に対向して位置するようになっており、下框４２と通気部材４７２との間に端部通気経路である下端部通気経路４２８が形成されている。そして、下框突出片部４２５は、下端部通気経路４２８に入った雨水等を阻止する水返し片として機能するように構成されている。
【００３４】
以上の固定面材ユニット４０は、ユニット枠４０Ａの内部に上部中間框４４および下部中間框４５と、上部通気面材４６および下部通気面材４７と、固定ガラスパネル４８とを組み込んでユニット化されている。この固定面材ユニット４０の上部通気面材４６および下部通気面材４７は、図６〜図９に示すように、左右の縦框４３に固定された樹脂製の端部取付部品４６１，４７１と、これらの端部取付部品４６１，４７１間に渡って設けられる複数の通気部材４６２，４７２とを有して構成されている。通気部材４６２，４７２は、アルミ形材製の一体成形部材であって、室外側にて上下に延びる通気前面部４６３，４７３と、室内側にて上下に延びる通気背面部４６４，４７４と、これらを結んで室外側に下がり勾配を有した通気傾斜面部４６５，４７５とを有して全体クランク状に形成されている。さらに、通気部材４６２，４７２は、通気前面部４６３，４７３の下端部から室内側に突出した下部突出片部４６６，４７６と、通気背面部４６４，４７４の上端部から室外側に突出した上部突出片部４６７，４７７とを有して形成されている。
【００３５】
そして、上下に隣接する通気部材４６２，４７２は、互いの通気前面部４６３，４７３と通気背面部４６４，４７４とが見込み方向に対向し、上下の通気部材４６２，４７２同士の間に通気経路４６８，４７８が形成されている。この通気経路４６８，４７８は、上下の通気部材４６２，４７２における通気前面部４６３，４７３間に室外側開口を有し、この室外側開口からクランク状に室内側および上方に折れ曲がって延び、通気背面部４６４，４７４間に室内側開口を有して形成されている。そして、室外側開口から通気経路４６８，４７８に入った雨水等は、通気背面部４６４，４７４で阻止されるとともに、水返し片として機能する上部突出片部４６７，４７７で阻止され下方に落下し、通気傾斜面部４６５，４７５の傾斜に沿って室外側に排出されるようになっている。さらに、風を伴って側方から吹き付ける雨水等が室外側開口から通気経路４６８，４７８に入った場合でも、この雨水等は、下部突出片部４６６，４７６に当たって下方に向きを変え、通気背面部４６４，４７４に当たって落下し、通気傾斜面部４６５，４７５に沿って排出されるようになっている。
【００３６】
また、固定面材ユニット４０の縦框４３は、図３および図４に示すように、アルミ形材製の一体成形部材であって、見込み方向に延びる一対の見込み面部４３１，４３２と、これらの見込み面部４３１，４３２に連続して見付け方向内側に延びる室内側見付け面部４３３および室外側見付け面部４３４と、室外側見付け面部４３４に連続して見付け方向外側に延びる突出片部４３５とを有して形成されている。そして、見込み面部４３１，４３２の室内側端部および突出片部４３５の先端部には、それぞれ室内側に突出した気密部材が取り付けられており、それぞれ縦枠１３の突出片部１３４および縦枠中空部１３５に当接するようになっている。また、室内側見付け面部４３３と室外側見付け面部４３４とは、互いに見込み方向に対向して設けられ、これらの間には、見付け方向内側に開口した面材保持部４３Ａが形成されており、この面材保持部４３Ａには、ガスケット４８１を介して固定ガラスパネル４８の側端縁が保持されるようになっている。
【００３７】
一方、固定面材ユニット４０における上部通気面材４６および下部通気面材４７の室内側に取り付けられる網戸４９は、図４および図６〜図９に示すように、それぞれアルミ形材製の上框４９１、下框４９２、および左右の縦框４９３を四周框組みするとともに、これらの室外側に防虫ネット４９４を取り付けて構成されている。この網戸４９は、下框４９２に固定した係止部材４９５を上部中間框４４または下框４２に係止させるとともに、上框４９１に取り付けたラッチ４９６を上框４１または下部中間框４５に係止させることで、固定面材ユニット４０に取り付けられるようになっている。ここで、固定面材ユニット４０の上框４１および下部中間框４５には、ラッチ４９６を係止する係止部材４９７が固定されている。そして、網戸４９は、ラッチ４９６を係止部材４９７から外すことで固定面材ユニット４０から室内側に取り外し可能になっており、上部可動障子２０および下部可動障子３０を開放した状態で室内側から脱着できるように構成されている。
【００３８】
このような本実施形態によれば、以下のような効果がある。
（１）すなわち、上部可動障子２０の下框２２（内召合せ框）と固定面材ユニット４０の上部中間框４４（外召合せ框）とで構成された召合せ部において、上部中間框４４の煙返し４４９よりも室外側に立上り片４４Ｂが形成されるとともに、この立上り片４４Ｂよりも室内側かつ煙返し４４９よりも上側に気密材４４Ｄが取り付けられている。これにより、上げ下げ窓１の室外側から降りかかる雨などを立上り片４４Ｂで阻止することができるとともに、さらに立上り片４４Ｂを超えた雨を気密材４４Ｄで阻止することができ、上部中間框４４と下框２２との間から室内側への雨水の浸入を防止することができる。従って、固定面材ユニット４０の上部中間框４４の室内側に上部可動障子２０の下框２２が重なって閉じる開閉形式の上げ下げ窓１において、止水性能を確保することができ、従来の上げ下げ窓のような内外障子の召合せ構造の制約を受けることがなくなるため、固定面材である固定ガラスパネル４８と上部可動障子２０との配置に関する設計の自由度を高めることができる。
【００３９】
（２）さらに、固定面材ユニット４０において固定ガラスパネル４８の上側に上部通気面材４６が設けられるとともに、その最下段に位置する通気部材４６２の通気前面部４６３の室内側に対向する上部中間框背面部４４６（通気突片部）が上部中間框４４に形成されているので、通気部材４６２によって雨が阻止されるとともに、通気部材４６２よりも室内側に浸入した雨が上部中間框背面部４４６によって阻止される。従って、前述した立上り片４４Ｂおよび気密材４４Ｄによる止水に加え、通気部材４６２および上部中間框背面部４４６による止水効果によって止水性能を向上させることができる。
【００４０】
（３）そして、上部中間框４４の上部中間框背面部４４６が立上り片４４Ｂの上端縁よりも上方、かつ上部可動障子２０の下框２２の室外見付け面部２２３上端縁よりも上方まで延びて形成されているので、上部中間框背面部４４６によって確実に雨などの浸入が防止でき、止水性能のさらなる向上が実現できる。さらに、上部中間框背面部４４６と立上り片４４Ｂとの間に溝部４４Ｅが形成されているので、上部中間框背面部４４６を超えて雨などが浸入したとしても、この水を溝部４４Ｅに溜めて適宜に排水（例えば、縦框４３の内部を通って下枠１２から排水）することができ、立上り片４４Ｂを超えて室内側へ浸入することが防止できる。また、上部中間框背面部４４６の上端部に上部突出片部４４７（水返し片部）が形成されているので、この上部中間框背面部４４６まで到達した雨などを室外側に戻して落下させることができ、上部中間框背面部４４６よりも室内側への浸入がより確実に防止できる。
【００４１】
（４）また、上部通気面材４６および下部通気面材４７として、複数の通気部材４６２，４７２を有したガラリ形状のものを利用したことで、防犯性を向上させることができる。さらに、通気部材４６２，４７２同士の間に形成される通気経路４６８，４７８の室外側開口が室内側開口よりも下方に設けられる、つまり室内外に渡る通気経路４６８，４７８が下方に向いた室外側開口を有して形成されることで、雨の降り込みが防止でき、雨天であっても上下の可動障子２０，３０を開放して通気することができ、室内の快適性を向上させることができる。
【００４２】
（５）さらに、固定面材ユニット４０の上框４１、下框４２、上部中間框４４および下部中間框４５が、通気部材４６２，４７２と略同様な形態を有して形成され、通気部材４６２，４７２との間に、上端部通気経路４１８、下端部通気経路４２８、中間部通気経路４４８，４５８が形成されているので、通気性能を向上させることができる。また、上框４１、下框４２、上部中間框４４および下部中間框４５と、通気部材４６２，４７２との外観デザインが共通化されることで、上げ下げ窓１の外観意匠性が良好にできる。
【００４３】
（６）また、固定面材ユニット４０の上部中間框４４および下部中間框４５が通気部材４６２，４７２と略同様な形態を有するとともに、固定ガラスパネル４８を保持する面材保持部４４Ａ，４５Ａを有して形成されているので、固定ガラスパネル４８を保持するための框材を別途設ける必要がなく、固定面材ユニット４０の構造を簡単化することができるとともに、外観デザインの連続性による良好な意匠が確保できる。
【００４４】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の障子（上部可動障子２０および下部可動障子３０）を有して構成されていたが、これに限らず、可動障子が１枚であってもよく、また３枚以上の可動障子を有して構成されていてもよい。可動障子が１枚の場合には、上部可動障子２０に相当する可動障子の下框と、固定面材ユニット４０における上部中間框４４に相当する外召合せ框とが見込み方向に重なるような構成であればよい。また、３枚以上の可動障子を有する建具を構成する場合には、上部可動障子２０に相当する可動障子と、固定面材ユニット４０における固定ガラスパネル４８および上部中間框４４に相当する固定面材および外召合せ框とを有していればよい。
【００４５】
また、前記実施形態では、室外面材として固定面材ユニット４０に組み込まれかつ窓枠１０に対して移動不能な固定ガラスパネル４８を用いたが、室外面材としては、窓枠１０に上下スライド開閉自在に支持された障子であってもよく、また外開き等の各種開閉形式に支持された障子であってもよい。
また、前記実施形態では、通気面材として、複数の通気部材４６２，４７２が全体クランク状に形成され、室外側開口が室内側開口よりも下方に位置する通気経路４６８，４７８を構成するものを採用したが、このような形態に限定されない。すなわち、通気部材としては、見込み方向の中央部が高い断面略山形状に形成され、通気経路の室外側および室内側の開口がそれぞれ通気部材の中央部よりも低い位置に形成されたものでもよい。また、通気面材として、複数の通気部材４６２，４７２を有した上部通気面材４６および下部通気面材４７のように、ガラリ形状に形成されて防犯性や防雨性を有したものを採用したが、通気面材の形態はガラリ形状のものに限定されない。
さらに、前記実施形態では、通気面材の室内側に防虫ネット４９４を有した網戸４９を取り付けたが、この網戸は必須ではなく、省略されてもよい。さらに、網戸の形態としては、上下左右の框を有したものに限らず、防虫ネット単体を面ファスナー等で通気面材の室内側に貼り付けたものでもよい。
【００４６】
また、前記実施形態では、外召合せ框としての上部中間框４４に設ける気密材４４Ｄを１段としたが、以下の図１１に示すように、２段の気密材を設けてもよい。
ずなわち、図１１に示すように、上部中間框４４における気密材保持部４４Ｃには、室内側に開口した２個の気密材ポケットが形成されており、２個のうちの下側には、前記実施形態と同様の気密材４４Ｄが取り付けられ、上側の気密材ポケットには、上部可動障子２０のガラスパネル２４の室外面に摺接可能な第２気密材４４Ｆが取り付けられている。従って、気密材４４Ｄに加えて第２気密材４４Ｆが設けられているので、立上り片４４Ｂを超えた雨などの浸入を第２気密材４４Ｆで阻止することができ、止水性能をさらに一層向上させることができる。
【００４７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の実施形態に係る建具を室外側から見た正面図である。
【図２】前記建具を示す縦断面図である。
【図３】前記建具を示す横断面図である。
【図４】前記建具を示す横断面図である。
【図５】前記建具を室外側から見た分解斜視図である。
【図６】前記建具の上部を拡大して示す縦断面図である。
【図７】前記建具の上部可動障子の召合せ部を拡大して示す縦断面図である。
【図８】前記建具の下部可動障子の召合せ部を拡大して示す縦断面図である。
【図９】前記建具の下部を拡大して示す縦断面図である。
【図１０】前記上部可動障子の召合せ部をさらに拡大して示す縦断面図である。
【図１１】本発明の変形例を示す縦断面図である。
【符号の説明】
【００４９】
１…上げ下げ窓（建具）、１０…窓枠、２０…上部可動障子、２１…上框、２２…下框（内召合せ框）、２３…縦框、２４…ガラスパネル（面材）、４４…上部中間框（外召合せ框）、４４Ｂ…立上り片、４４Ｄ…気密材、４４Ｅ…溝部、４４Ｆ…第２気密材、４６…上部通気面材、４８…固定ガラスパネル（室外面材、固定面材）、４４７…上部突出片部（水返し片部）、４４８…中間部通気経路、４４９…煙返し（係合片）、４６２…通気部材、４６８…通気経路。
【図１】
0004891203.tif 000002
【図２】
0004891203.tif 000003
【図３】
0004891203.tif 000004
【図４】
0004891203.tif 000005
【図５】
0004891203.tif 000006
【図６】
0004891203.tif 000007
【図７】
0004891203.tif 000008
【図８】
0004891203.tif 000009
【図９】
0004891203.tif 000010
【図１０】
0004891203.tif 000011
【図１１】
0004891203.tif 000012